(57)【特許請求の範囲】
【請求項１】
直線偏光のレーザ光を出力するレーザと、
ランドおよび／またはグルーブが形成された光ディスクのトラックに対し、前記レーザからのレーザ光を集光して供給する対物レンズと、
前記光ディスクで反射した前記レーザ光が前記対物レンズを介して供給され、供給された前記レーザ光に含まれる０次回折光と１次回折光とが重なる重複領域と非重複領域とを、互いに直交または実質的に直交した直線偏光にする偏光板と、
前記偏光板を通過したレーザ光が供給される光検出器と
を有する
光ピックアップ。
【請求項２】
前記偏光板を通過した前記レーザ光が供給される円筒レンズをさらに有し、
前記光検出器は、前記円筒レンズを通過した前記レーザ光を受光する受光部を有し、
当該受光部は直交する２つの分割線により４等分割または実質的に４等分割されており、前記２つの分割線の交点は前記円筒レンズを通過した前記レーザ光の中心または実質的に中心に配置されており、
前記分割線の方向と前記円筒レンズの母線の方向は、約４５度または約１３５度の角度をなしている
請求項１記載の光ピックアップ。
【請求項３】
前記レーザから出力された前記レーザ光を平行光にするコリメータレンズと、
前記コリメータレンズからの平行光の前記レーザ光が供給されるビームスプリッタと
をさらに有し、
前記対物レンズは、前記ビームスプリッタを通過した前記レーザ光を集光して前記光ディスクに供給し、前記光ディスクで反射した前記レーザ光を前記ビームスプリッタに戻し、
前記ビームスプリッタは、前記対物レンズからの前記レーザ光を前記偏光板に供給する
請求項１記載の光ピックアップ。
【請求項４】
直線偏光のレーザ光を出力するレーザと、
ランドおよび／またはグルーブが形成された光ディスクのトラックに対し、前記レーザからのレーザ光を集光して供給する対物レンズと、
前記光ディスクで反射した前記レーザ光が前記対物レンズを介して供給され、供給された前記レーザ光を主レーザ光と第１および第２の副レーザ光とに分離するウォラストンプリズムと、
前記ウォラストンプリズムを通過したレーザ光が供給され、供給された前記レーザ光のうち前記主レーザ光に含まれる０次回折光と１次回折光とが重なる重複領域と非重複領域とを、互いに直交または実質的に直交した直線偏光にする偏光板と、
前記偏光板を通過したレーザ光が供給される光検出器と
を有する
光ピックアップ。
【請求項５】
前記偏光板を通過した前記レーザ光が供給される円筒レンズをさらに有し、
前記光検出器は、前記円筒レンズを通過した前記主レーザ光を受光する主受光部と、前記円筒レンズを通過した前記第１の副レーザ光を受光する第１の副受光部と、前記円筒レンズを通過した前記第２の副レーザ光を受光する第２の副受光部とを有し、
前記主受光部は直交する２つの分割線により４等分割または実質的に４等分割されており、前記２つの分割線の交点は前記円筒レンズを通過した前記主レーザ光の中心または実質的に中心に配置されており、
前記分割線の方向と前記円筒レンズの母線の方向は、約４５度または約１３５度の角度をなしており、
前記光ディスクは、光磁気ディスクである
請求項４記載の光ピックアップ。
【請求項６】
前記レーザから出力された前記レーザ光を平行光にするコリメータレンズと、
前記コリメータレンズからの平行光の前記レーザ光が供給されるビームスプリッタと
をさらに有し、
前記対物レンズは、前記ビームスプリッタを通過した前記レーザ光を集光して前記光ディスクに供給し、前記光ディスクで反射した前記レーザ光を前記ビームスプリッタに戻し、
前記ビームスプリッタは、前記対物レンズからの前記レーザ光を前記ウォラストンプリズムに供給する
請求項４記載の光ピックアップ。
【請求項７】
直線偏光のレーザ光を出力するレーザと、
ランドおよび／またはグルーブが形成された光ディスクのトラックに対し、前記レーザからのレーザ光を集光して供給する対物レンズと、
前記光ディスクで反射した前記レーザ光が前記対物レンズを介して供給され、供給された前記レーザ光に含まれる０次回折光と１次回折光とが重なる重複領域と非重複領域とを、互いに直交または実質的に直交した直線偏光にする偏光板と、
前記偏光板を通過したレーザ光が供給される光検出器と、
前記光検出器の出力信号に基づいて焦点誤差信号および再生信号を生成する生成回路と、
前記再生信号に基づいて前記光ディスクの記録情報を検出する検出回路と、
前記焦点誤差信号に基づき、前記光ディスクの記録面とは垂直なフォーカス方向に前記対物レンズを移動させるアクチュエータと
を有する
記録再生装置。
【請求項８】
前記偏光板を通過した前記レーザ光が供給される円筒レンズをさらに有し、
前記光検出器は、前記円筒レンズを通過した前記レーザ光を受光する受光部を有し、
当該受光部は直交する２つの分割線により４等分割または実質的に４等分割されており、前記２つの分割線の交点は前記円筒レンズを通過した前記レーザ光の中心または実質的に中心に配置されており、
前記分割線の方向と前記円筒レンズの母線の方向は、約４５度または約１３５度の角度をなしており、
前記生成回路は、前記受光部が分割された４つの分割領域のうち一方の対角方向に位置する２つの分割領域の各出力信号の和と、他方の対角方向に位置する２つの分割領域の各出力信号の和との差分に基づいて前記焦点誤差信号を生成し、前記４つの分割領域の各出力信号の和に基づいて前記再生信号を生成する
請求項７記載の記録再生装置。
【請求項９】
前記レーザから出力された前記レーザ光を平行光にするコリメータレンズと、
前記コリメータレンズからの平行光の前記レーザ光が供給されるビームスプリッタと
をさらに有し、
前記対物レンズは、前記ビームスプリッタを通過した前記レーザ光を集光して前記光ディスクに供給し、前記光ディスクで反射した前記レーザ光を前記ビームスプリッタに戻し、
前記ビームスプリッタは、前記対物レンズからの前記レーザ光を前記偏光板に供給する
請求項７記載の記録再生装置。
【請求項１０】
直線偏光のレーザ光を出力するレーザと、
ランドおよび／またはグルーブが形成された光ディスクのトラックに対し、前記レーザからのレーザ光を集光して供給する対物レンズと、
前記光ディスクで反射した前記レーザ光が前記対物レンズを介して供給され、供給された前記レーザ光を主レーザ光と第１および第２の副レーザ光とに分離するウォラストンプリズムと、
前記ウォラストンプリズムを通過したレーザ光が供給され、供給された前記レーザ光のうち前記主レーザ光に含まれる０次回折光と１次回折光とが重なる重複領域と非重複領域とを、互いに直交または実質的に直交した直線偏光にする偏光板と、
前記偏光板を通過したレーザ光が供給される光検出器と、
前記光検出器の出力信号に基づいて焦点誤差信号および再生信号を生成する生成回路と、
前記再生信号に基づいて前記光ディスクの記録情報を検出する検出回路と、
前記焦点誤差信号に基づき、前記光ディスクの記録面とは垂直なフォーカス方向に前記対物レンズを移動させるアクチュエータと
を有する
記録再生装置。
【請求項１１】
前記偏光板を通過した前記レーザ光が供給される円筒レンズをさらに有し、
前記光検出器は、前記円筒レンズを通過した前記主レーザ光を受光する主受光部と、前記円筒レンズを通過した前記第１の副レーザ光を受光する第１の副受光部と、前記円筒レンズを通過した前記第２の副レーザ光を受光する第２の副受光部とを有し、
前記主受光部は直交する２つの分割線により４等分割または実質的に４等分割されており、前記２つの分割線の交点は前記円筒レンズを通過した前記主レーザ光の中心または実質的に中心に配置されており、
前記分割線の方向と前記円筒レンズの母線の方向は、約４５度または約１３５度の角度をなしており、
前記光ディスクは、光磁気ディスクであり、
前記生成回路は、前記主受光部が分割された４つの分割領域のうち一方の対角方向に位置する２つの分割領域の各出力信号の和と、他方の対角方向に位置する２つの分割領域の各出力信号の和との差分に基づいて前記焦点誤差信号を生成し、前記第１および第２の副受光部の各出力信号の差に基づいて前記再生信号を生成する
請求項１０記載の記録再生装置。
【請求項１２】
前記レーザから出力された前記レーザ光を平行光にするコリメータレンズと、
前記コリメータレンズからの平行光の前記レーザ光が供給されるビームスプリッタと
をさらに有し、
前記対物レンズは、前記ビームスプリッタを通過した前記レーザ光を集光して前記光ディスクに供給し、前記光ディスクで反射した前記レーザ光を前記ビームスプリッタに戻し、
前記ビームスプリッタは、前記対物レンズからの前記レーザ光を前記ウォラストンプリズムに供給する
請求項１０記載の記録再生装置。
【発明の詳細な説明】
【０００１】
【発明の属する技術分野】
本発明は、レーザ光を光ディスクに照射する光ピックアップおよび記録再生装置に関する。
【０００２】
【従来の技術】
図１は、従来の光ピックアップを示す構成図である。
この光ピックアップ１は、半導体レーザ４と、コリメータレンズ５と、ビームスプリッタ３と、対物レンズ２と、集光レンズ６と、円筒レンズ７と、光検出器８とを有する。
【０００３】
半導体レーザ４は、直線偏光のレーザ光を出力してコリメータレンズ５に供給する。
コリメータレンズ５は、半導体レーザ４からのレーザ光を平行光にしてビームスプリッタ３に供給する。
ビームスプリッタ３は、コリメータレンズ５からのレーザ光を通過させて対物レンズ２に供給する。
対物レンズ２は、ビームスプリッタ３からのレーザ光を集光して光ディスク８０のトラックに供給する。
【０００４】
また、対物レンズ２は、光ディスク８０で反射したレーザ光をビームスプリッタ３に戻す。
ビームスプリッタ３は、対物レンズ２からのレーザ光が入射され、入射されたレーザ光を反射して集光レンズ６に供給する。
集光レンズ６は、ビームスプリッタ３からのレーザ光を集光して円筒レンズ（シリンドリカルレンズ）７に供給する。
円筒レンズ７は、集光レンズ６からのレーザ光を通過させて光検出器８に供給する。
光検出器８は、円筒レンズ７からのレーザ光を受光部で受光して出力信号を生成する。
【０００５】
図２は、光検出器８の受光部の構成を示す説明図である。
光検出器８は、受光部８Ｓが２つの分割線８Ｓｘ，８Ｓｙにより４等分割された４分割光検出器である。
受光部８Ｓは、４個の分割領域８Ａ〜８Ｄを有する。図２の受光部８Ｓには、円筒レンズ７からのレーザ光によりビームスポットＭＳが形成されている。
【０００６】
円筒レンズ７の母線の方向は、受光部８Ｓの分割線８Ｓｘまたは分割線８Ｓｙの方向に対して約４５度もしくは約１３５度の角度をなす。
分割線８Ｓｘ，８Ｓｙの交点は、円筒レンズ７を通過したレーザ光の中心または実質的に中心に位置する。
受光部８Ｓに形成されるビームスポットＭＳの形状は、光ディスク８０と対物レンズ２との距離に応じて対角方向に変化するので、分割領域８Ａ〜８Ｄが生成した出力信号に基づき、非点収差法により光ディスク８０での焦点ズレを検出可能である。
焦点誤差信号（フォーカスエラー信号）ＦＥは、分割領域８Ａ〜８Ｄが生成する出力信号ＳＡ〜ＳＤを用いて、次式▲１▼で表される。
【０００７】
【数１】
ＦＥ＝ＳＡ＋ＳＣ−（ＳＢ＋ＳＤ）  …▲１▼
【０００８】
【発明が解決しようとする課題】
ランドとグルーブとを有する構造の光ディスクでは、焦点の位置がランドにある場合とグルーブにある場合とで、焦点誤差信号ＦＥは異なる値となる。これを図３を参照して説明する。
【０００９】
図３は、ランドとグルーブとに対する各焦点誤差信号を示す特性図である。トラックがランドである場合の焦点誤差信号を点線ＬＡで示し、トラックがグルーブである場合の焦点誤差信号を点線ＧＲで示す。
図３に示す焦点誤差信号の特性曲線ＬＡ，ＧＲは、便宜上、上式▲１▼で得られる値を出力信号ＳＡ〜ＳＤの総和Σ（＝ＳＡ＋ＳＢ＋ＳＣ＋ＳＤ）で規格化（正規化）した百分率の値（１００×ＦＥ／Σ）としている。また、対物レンズからのレーザ光が集光する焦点位置（合焦位置）から光ディスクの記録面までの相対距離を、デフォーカス量としている。
【００１０】
グルーブがない構造の光ディスクであるミラーディスクでは、記録面が合焦位置にある場合に、焦点誤差信号の値は０になる。
しかし、ランドグルーブ構造の光ディスクでは、光ディスクの記録面が合焦位置にあり、焦点が合っている場合（デフォーカス量が０である場合）に、焦点誤差信号の値は０にならない。これは、レーザ光がトラックで反射する時にランドおよび／またはグルーブによる光の回折が発生し、光検出器の受光部で光の干渉が生じて合焦時の焦点誤差信号にオフセットが生じるからである。
【００１１】
また、光ディスクの違いにより、ランドとグルーブの幅の比、グルーブの深さ等が異なる場合、合焦位置での焦点検出の検出誤差値が変化する。すなわち、ランドグルーブ構造の光ディスクに限らず、任意のグルーブ幅および深さの光ディスクについて、従来の方式では焦点誤差の正確な検出が困難である。
本発明の目的は、光検出器での光の干渉を防止可能な光ピックアップおよび記録再生装置を提供することにある。
【００１２】
【課題を解決するための手段】
ランドおよび／またはグルーブを有する光ディスクのトラックで反射した反射レーザ光は、０次回折光と、ランドおよび／またはグルーブによる回折で生じた±１次回折光とを含む。
この０次回折光と±１次回折光とを含むレーザ光が円筒レンズを通過して光検出器に供給されることで、０次回折光と±１次回折光とが重なる領域と重ならない領域とで光の干渉が生じ、受光部のビームスポットは分割線に対して非対称な強度分布を合焦時に形成し、上記図３に示すように焦点誤差信号が合焦時に０にならない現象が発生すると考えられる。
【００１３】
図４は、図１の光ピックアップ１において、ビームスプリッタ３で反射して集光レンズ６に供給されるレーザ光（戻りレーザ光）の様子を示す説明図であり、０次回折光の輪郭を実線のリングで示し、±１次回折光の輪郭を点線のリングで示す。
０次回折光の中心に対する±１次回折光の中心までの距離ｄ０は、グルーブの半径方向のピッチｐと、レーザ光の波長λと、対物レンズ２の開口数ＮＡとにより、次式▲２▼で表される。
【００１４】
【数２】
ｄ０＝（λ／ＮＡ）／ｐ  …▲２▼
【００１５】
ここで、対物レンズ２の半径で決まる０次回折光の半径を、規格化（正規化）して１とした。この０次回折光の半径は、±１次回折光の半径と等しく、対物レンズ２の半径（またはアパーチャ）に対応している。
図４の説明図では、ｄ０＝１である場合、すなわちλ／ＮＡ＝ｐである場合を例示しており、±１次回折光の輪郭が互いに接している。波長λ、開口数ＮＡ、ピッチｐなどのパラメータが決まれば、０次回折光と±１次回折光とが重なる領域（重複領域）と重ならない領域（非重複領域）とが一義的に決まる。
【００１６】
本発明に係る光ピックアップおよび記録再生装置では、光ディスク８０からの０次回折光と±１次回折光とが重なる重複領域と非重複領域とを、互いに直交した直線偏光、または、互いに実質的に直交した直線偏光にする。
重複領域と非重複領域のレーザ光の偏光方向を直交させることで、光検出器の受光部での光の干渉を抑えることができ、レーザ光を集光してランドに供給する場合とグルーブに供給する場合とで焦点誤差信号を一致させることができ、焦点誤差信号を合焦時に０にすることが可能である。例えば、図５の説明図に示すように、レーザ光の焦点がランドにある場合とグルーブにある場合とで焦点誤差信号を一致させることができ、焦点誤差信号を合焦時に０にすることが可能である。
【００１８】
本発明に係る第１の光ピックアップは、直線偏光のレーザ光を出力するレーザと、ランドおよび／またはグルーブが形成された光ディスクのトラックに対し、前記レーザからのレーザ光を集光して供給する対物レンズと、前記光ディスクで反射した前記レーザ光が前記対物レンズを介して供給され、供給された前記レーザ光に含まれる０次回折光と１次回折光とが重なる重複領域と非重複領域とを、互いに直交または実質的に直交した直線偏光にする偏光板と、前記偏光板を通過したレーザ光が供給される光検出器とを有する。
【００１９】
本発明に係る第１の光ピックアップでは、好適には、前記偏光板を通過した前記レーザ光が供給される円筒レンズをさらに有し、前記光検出器は、前記円筒レンズを通過した前記レーザ光を受光する受光部を有し、当該受光部は直交する２つの分割線により４等分割または実質的に４等分割されており、前記２つの分割線の交点は前記円筒レンズを通過した前記レーザ光の中心または実質的に中心に配置されており、前記分割線の方向と前記円筒レンズの母線の方向は、約４５度または約１３５度の角度をなしている。
【００２０】
本発明に係る第１の光ピックアップでは、好適には、前記レーザから出力された前記レーザ光を平行光にするコリメータレンズと、前記コリメータレンズからの平行光の前記レーザ光が供給されるビームスプリッタとをさらに有し、前記対物レンズは、前記ビームスプリッタを通過した前記レーザ光を集光して前記光ディスクに供給し、前記光ディスクで反射した前記レーザ光を前記ビームスプリッタに戻し、前記ビームスプリッタは、前記対物レンズからの前記レーザ光を前記偏光板に供給する。
【００２１】
本発明に係る第２の光ピックアップは、直線偏光のレーザ光を出力するレーザと、ランドおよび／またはグルーブが形成された光ディスクのトラックに対し、前記レーザからのレーザ光を集光して供給する対物レンズと、前記光ディスクで反射した前記レーザ光が前記対物レンズを介して供給され、供給された前記レーザ光を主レーザ光と第１および第２の副レーザ光とに分離するウォラストンプリズムと、前記ウォラストンプリズムを通過したレーザ光が供給され、供給された前記レーザ光のうち前記主レーザ光に含まれる０次回折光と１次回折光とが重なる重複領域と非重複領域とを、互いに直交または実質的に直交した直線偏光にする偏光板と、前記偏光板を通過したレーザ光が供給される光検出器とを有する。
【００２２】
本発明に係る第２の光ピックアップでは、好適には、前記偏光板を通過した前記レーザ光が供給される円筒レンズをさらに有し、前記光検出器は、前記円筒レンズを通過した前記主レーザ光を受光する主受光部と、前記円筒レンズを通過した前記第１の副レーザ光を受光する第１の副受光部と、前記円筒レンズを通過した前記第２の副レーザ光を受光する第２の副受光部とを有し、前記主受光部は直交する２つの分割線により４等分割または実質的に４等分割されており、前記２つの分割線の交点は前記円筒レンズを通過した前記主レーザ光の中心または実質的に中心に配置されており、前記分割線の方向と前記円筒レンズの母線の方向は、約４５度または約１３５度の角度をなしており、前記光ディスクは、光磁気ディスクである。
【００２３】
本発明に係る第２の光ピックアップでは、好適には、前記レーザから出力された前記レーザ光を平行光にするコリメータレンズと、前記コリメータレンズからの平行光の前記レーザ光が供給されるビームスプリッタとをさらに有し、前記対物レンズは、前記ビームスプリッタを通過した前記レーザ光を集光して前記光ディスクに供給し、前記光ディスクで反射した前記レーザ光を前記ビームスプリッタに戻し、前記ビームスプリッタは、前記対物レンズからの前記レーザ光を前記ウォラストンプリズムに供給する。
【００３０】
本発明に係る第１の記録再生装置は、直線偏光のレーザ光を出力するレーザと、ランドおよび／またはグルーブが形成された光ディスクのトラックに対し、前記レーザからのレーザ光を集光して供給する対物レンズと、前記光ディスクで反射した前記レーザ光が前記対物レンズを介して供給され、供給された前記レーザ光に含まれる０次回折光と１次回折光とが重なる重複領域と非重複領域とを、互いに直交または実質的に直交した直線偏光にする偏光板と、前記偏光板を通過したレーザ光が供給される光検出器と、前記光検出器の出力信号に基づいて焦点誤差信号および再生信号を生成する生成回路と、前記再生信号に基づいて前記光ディスクの記録情報を検出する検出回路と、前記焦点誤差信号に基づき、前記光ディスクの記録面とは垂直なフォーカス方向に前記対物レンズを移動させるアクチュエータとを有する。
【００３１】
本発明に係る第１の記録再生装置では、好適には、前記偏光板を通過した前記レーザ光が供給される円筒レンズをさらに有し、前記光検出器は、前記円筒レンズを通過した前記レーザ光を受光する受光部を有し、当該受光部は直交する２つの分割線により４等分割または実質的に４等分割されており、前記２つの分割線の交点は前記円筒レンズを通過した前記レーザ光の中心または実質的に中心に配置されており、前記分割線の方向と前記円筒レンズの母線の方向は、約４５度または約１３５度の角度をなしており、前記生成回路は、前記受光部が分割された４つの分割領域のうち一方の対角方向に位置する２つの分割領域の各出力信号の和と、他方の対角方向に位置する２つの分割領域の各出力信号の和との差分に基づいて前記焦点誤差信号を生成し、前記４つの分割領域の各出力信号の和に基づいて前記再生信号を生成する。
【００３２】
本発明に係る第１の記録再生装置では、好適には、前記レーザから出力された前記レーザ光を平行光にするコリメータレンズと、前記コリメータレンズからの平行光の前記レーザ光が供給されるビームスプリッタとをさらに有し、前記対物レンズは、前記ビームスプリッタを通過した前記レーザ光を集光して前記光ディスクに供給し、前記光ディスクで反射した前記レーザ光を前記ビームスプリッタに戻し、前記ビームスプリッタは、前記対物レンズからの前記レーザ光を前記偏光板に供給する。
【００３３】
本発明に係る第２の記録再生装置は、直線偏光のレーザ光を出力するレーザと、ランドおよび／またはグルーブが形成された光ディスクのトラックに対し、前記レーザからのレーザ光を集光して供給する対物レンズと、前記光ディスクで反射した前記レーザ光が前記対物レンズを介して供給され、供給された前記レーザ光を主レーザ光と第１および第２の副レーザ光とに分離するウォラストンプリズムと、前記ウォラストンプリズムを通過したレーザ光が供給され、供給された前記レーザ光のうち前記主レーザ光に含まれる０次回折光と１次回折光とが重なる重複領域と非重複領域とを、互いに直交または実質的に直交した直線偏光にする偏光板と、前記偏光板を通過したレーザ光が供給される光検出器と、前記光検出器の出力信号に基づいて焦点誤差信号および再生信号を生成する生成回路と、前記再生信号に基づいて前記光ディスクの記録情報を検出する検出回路と、前記焦点誤差信号に基づき、前記光ディスクの記録面とは垂直なフォーカス方向に前記対物レンズを移動させるアクチュエータとを有する。
【００３４】
本発明に係る第２の記録再生装置では、好適には、前記偏光板を通過した前記レーザ光が供給される円筒レンズをさらに有し、前記光検出器は、前記円筒レンズを通過した前記主レーザ光を受光する主受光部と、前記円筒レンズを通過した前記第１の副レーザ光を受光する第１の副受光部と、前記円筒レンズを通過した前記第２の副レーザ光を受光する第２の副受光部とを有し、前記主受光部は直交する２つの分割線により４等分割または実質的に４等分割されており、前記２つの分割線の交点は前記円筒レンズを通過した前記主レーザ光の中心または実質的に中心に配置されており、前記分割線の方向と前記円筒レンズの母線の方向は、約４５度または約１３５度の角度をなしており、前記光ディスクは、光磁気ディスクであり、前記生成回路は、前記主受光部が分割された４つの分割領域のうち一方の対角方向に位置する２つの分割領域の各出力信号の和と、他方の対角方向に位置する２つの分割領域の各出力信号の和との差分に基づいて前記焦点誤差信号を生成し、前記第１および第２の副受光部の各出力信号の差に基づいて前記再生信号を生成する。
【００３５】
本発明に係る第２の記録再生装置では、好適には、前記レーザから出力された前記レーザ光を平行光にするコリメータレンズと、前記コリメータレンズからの平行光の前記レーザ光が供給されるビームスプリッタとをさらに有し、前記対物レンズは、前記ビームスプリッタを通過した前記レーザ光を集光して前記光ディスクに供給し、前記光ディスクで反射した前記レーザ光を前記ビームスプリッタに戻し、前記ビームスプリッタは、前記対物レンズからの前記レーザ光を前記ウォラストンプリズムに供給する。
【００４２】
【発明の実施の形態】
以下、本発明の実施の形態を添付図面を参照して説明する。
【００４３】
第１の実施の形態
図６は、本発明に係る光ピックアップの第１の実施の形態を示す概略的な構成図である。
この光ピックアップ５０は、半導体レーザ４と、コリメータレンズ５と、ビームスプリッタ３と、対物レンズ２と、集光レンズ６と、円筒レンズ７と、光検出器８と、偏光板９と、レンズホルダ２Ｈと、フォーカシング・アクチュエータ２Ｆと、トラッキング・アクチュエータ２Ｔとを有する。
【００４４】
対物レンズ２は、レンズホルダ２Ｈに保持されている。
フォーカシング・アクチュエータ２Ｆは、駆動信号Ｓfeに基づき、レンズホルダ２Ｈを光ディスク８０の記録面とは垂直なフォーカス方向に移動させ、その結果、対物レンズ２をフォーカス方向に移動させる。
トラッキング・アクチュエータ２Ｔは、駆動信号Ｓteに基づき、レンズホルダ２Ｈを光ディスク８０の半径方向またはトラッキング方向に移動させ、その結果、対物レンズ２を光ディスク８０の半径方向またはトラッキング方向に移動させる。
【００４５】
半導体レーザ４は、駆動信号ＳＬに基づいて直線偏光のレーザ光を出力してコリメータレンズ５に供給する。
コリメータレンズ５は、半導体レーザ４からのレーザ光を平行光にしてビームスプリッタ３に供給する。
ビームスプリッタ３は、コリメータレンズ５からのレーザ光を通過させて対物レンズ２に供給する。
対物レンズ２は、ビームスプリッタ３からのレーザ光を集光し、ランドおよび／またはグルーブを有する光ディスク８０のトラックに供給する。光ディスク８０は、例えばコンパクトディスク（ＣＤ）、ディジタルビデオディスク（ＤＶＤ）、相変化式の光ディスク（ＰＤ）等により構成する。
【００４６】
また、対物レンズ２は、光ディスク８０で反射したレーザ光をビームスプリッタ３に戻す。
ビームスプリッタ３は、対物レンズ２からのレーザ光が入射され、入射されたレーザ光を反射して出射し、偏光板９を介して集光レンズ６に供給する。
集光レンズ６は、偏光板９を通過したレーザ光を集光して円筒レンズ（シリンドリカルレンズ）７に供給する。
円筒レンズ７は、集光レンズ６からのレーザ光を通過させて光検出器８に供給する。
光検出器８は、円筒レンズ７からのレーザ光を受光部で受光して出力信号ＳＡ〜ＳＤを生成する。光検出器８の受光部は、例えば、前記図２に示した受光部８Ｓと同じ構成とし、その説明を省略する。
【００４７】
図７は、図６の光ピックアップ５０内の偏光板９の一例を示す構成図である。
光ディスク８０で反射したレーザ光は、トラックで反射した０次回折光と、ランドおよび／またはグルーブによる光の回折で生じた±１次回折光とを含む。
偏光板９は、０次回折光と±１次回折光とを含むレーザ光が、前記ビームスプリッタ３から供給される。
【００４８】
この偏光板９は、透明基板９Ｚと偏光子９Ａとを有する。
透明基板９Ｚは、０次回折光と±１次回折光とが重なる重複領域９Ｒ１と、重ならない非重複領域９Ｒ０とを、輪郭９Ｒ内に有する。非重複領域９Ｒ０には０次回折光が供給され、重複領域９Ｒ１には０次回折光と±１次回折光とが供給される。偏光子９Ａは、透明基板９Ｚの非重複領域９Ｒ０に位置する。
偏光子９Ａは、一例として、偏光板９に供給される直線偏光のレーザ光の偏光方向に対して光学軸が約４５度または約１３５度をなしており、λ／２相当の位相差を有する波長板とする。λ／２相当の位相差としては、例えばｎを自然数として、｛（ｎ−１）λ＋λ／２｝と同一または実質的に同一の位相差とする。
【００４９】
偏光子９Ａを非重複領域９Ｒ０に配置することで、非重複領域９Ｒ０を通過したレーザ光の直線偏光の偏光方向と、重複領域９Ｒ１を通過したレーザ光の直線偏光の偏光方向とを直交させることができる。
偏光板９を通過したレーザ光が集光レンズ６および円筒レンズ７を経て光検出器８に供給された場合に、光検出器８の受光部では、非重複領域９Ｒ０を通過したレーザ光と重複領域９Ｒ１を通過したレーザ光との干渉が抑えられ、受光部の分割線に対して合焦時の光強度が非対称になることを防ぐことができる。
【００５０】
光検出器８の受光部は、前記図２に示すように、２つの直交する分割線で４つの分割領域に等分割されている。
非点収差法における焦点誤差信号ＦＥは、前述の式▲１▼に示すように、分割線で分割した４つの分割領域のうち一方の対角方向に位置する２つの分割領域の出力信号の和（ＳＡ＋ＳＣ）と、他方の対角方向に位置する２つの分割領域の出力信号の和（ＳＢ＋ＳＤ）との差分で与えられる。
偏光板９を、ビームスプリッタ３と集光レンズ６との間、またはビームスプリッタ３と円筒レンズ７との間に配置することで、受光部の分割線に対して合焦時の光強度が非対称になることを防ぐことができ、焦点誤差信号ＦＥを合焦時に０にすることが可能であり、焦点誤差の検出精度を向上可能である。
なお、図６の光ピックアップ５０において、ビームスプリッタ３がレーザ光を射出する射出面に偏光板９または偏光子９Ａを固着して取り付けてもよく、前記射出面に偏光板９または偏光子９Ａを形成してもよく、透明基板９Ｚとビームスプリッタ３とを一体化してもよい。
【００５１】
図８は、図６の光ピックアップ５０内の偏光板の他の一例を示す構成図であり、図６の偏光板９としては、図８に示す偏光板９’を用いてもよい。なお、図８の偏光板９’では、図７の偏光板９と同一の構成部分には同一符号が付してあり、同一構成部分の説明を適宜省略する。
【００５２】
この偏光板９’は透明基板９Ｚと偏光子９Ｂとを有し、偏光子９Ｂは重複領域９Ｒ１に位置する。
偏光子９Ｂは、一例として、偏光板９’に供給される直線偏光のレーザ光の偏光方向に対して光学軸が約４５度または約１３５度をなしており、λ／２相当の位相差を有する波長板とする。λ／２相当の位相差としては、例えばｎを自然数として、｛（ｎ−１）λ＋λ／２｝と同一または実質的に同一の位相差とする。
【００５３】
偏光子９Ｂを重複領域９Ｒ１に配置することで、重複領域９Ｒ１を通過したレーザ光の直線偏光の偏光方向と、非重複領域９Ｒ０を通過したレーザ光の直線偏光の偏光方向とを直交させることができる。
偏光板９’を通過したレーザ光が集光レンズ６および円筒レンズ７を経て光検出器８に供給された場合に、光検出器８の受光部では、非重複領域９Ｒ０を通過したレーザ光と重複領域９Ｒ１を通過したレーザ光との干渉が抑えられ、受光部の分割線に対して合焦時の光強度が非対称になることを防ぐことができる。
偏光板９’を、ビームスプリッタ３と集光レンズ６との間、またはビームスプリッタ３と円筒レンズ７との間に配置することで、受光部の分割線に対して合焦時の光強度が非対称になることを防ぐことができ、焦点誤差信号ＦＥを合焦時に０にすることが可能であり、焦点誤差の検出精度を向上可能である。
なお、図６の光ピックアップ５０において、ビームスプリッタ３がレーザ光を射出する射出面に偏光板９’または偏光子９Ｂを固着して取り付けてもよく、前記射出面に偏光板９’または偏光子９Ｂを形成してもよい。
【００５４】
図９は、図６に示す光ピックアップ５０を有する記録再生装置の実施の形態を示す概略的なブロック構成図である。
この記録再生装置９０は、モータ３０と、モータ駆動回路３５と、位相補償回路４０と、増幅回路４２と、光ピックアップ５０と、増幅回路（ヘッドアンプ）５２と、レーザ駆動回路５５と、生成回路６０と、情報検出回路（検出回路）６５と、制御回路７０とを有する。この記録再生装置９０は、光ディスク８０に記録されている記録情報を再生する。
【００５５】
制御回路７０は、記録再生装置９０の全体の制御を司るコントローラであり、例えばマイクロコンピュータ（マイコン）により構成する。
この制御回路７０は、モータ３０、モータ駆動回路３５、レーザ駆動回路５５、光ピックアップ５０、位相補償回路４０、生成回路６０、情報検出回路６５等を制御する。
【００５６】
光ピックアップ５０は、再生時において光ディスク８０の再生箇所にレーザビームＬＢを照射する。
レーザ駆動回路５５は、制御回路７０の制御下で駆動信号ＳＬを生成してこの駆動信号ＳＬにより光ピックアップ５０内の半導体レーザ４を駆動し、半導体レーザ４からレーザビームＬＢを出力させる。
【００５７】
モータ３０は、例えば、スピンドルモータにより構成され、光ディスク８０を所定の回転速度で回転させる。このモータ３０は、一例として線速度が一定になるように光ディスク８０を回転させる。
【００５８】
モータ駆動回路３５は、モータ３０に駆動電力を供給してモータ３０を駆動する。このモータ駆動回路３５は、ＰＷＭ（Pulse Width Modulation）制御によりモータ３０の回転制御を行ってもよく、ＰＬＬ（Phase Locked Loop ）制御により回転制御を行ってもよい。
【００５９】
増幅回路５２は、光ピックアップ５０が有する光検出器８の各受光部の出力信号ＳＡ〜ＳＤを増幅して生成回路６０に供給する。
【００６０】
生成回路６０は、増幅回路５２からの増幅された前記出力信号ＳＡ〜ＳＤに基づき、再生信号ＲＦと、焦点誤差信号ＦＥと、トラッキング誤差信号ＴＥとを生成する。
この生成回路６０は、例えば、増幅回路５２からの前記出力信号ＳＡ〜ＳＤの和（ＳＡ＋ＳＢ＋ＳＣ＋ＳＤ）に基づいて再生信号ＲＦを生成する。また、増幅回路５２からの前記出力信号ＳＡ〜ＳＤのうち、隣り合う２つの分割領域の出力信号の和の差分に基づいてトラッキング誤差信号ＴＥを生成する。
【００６１】
位相補償回路４０は、フォーカス誤差信号ＦＥおよびトラッキング誤差信号ＴＥを補償（位相補償および／または周波数補償）した補償信号を生成し、この補償信号を増幅回路４２に供給する。
【００６２】
増幅回路４２は、フォーカス誤差信号ＦＥの補償信号を増幅した駆動信号（すなわちフォーカス誤差信号ＦＥを補償して増幅した信号）Ｓfeを、光ピックアップ５０内のフォーカシング・アクチュエータ２Ｆに供給する。
また、増幅回路４２は、トラッキング誤差信号ＴＥの補償信号を増幅した駆動信号（すなわちトラッキング誤差信号ＴＥを補償して増幅した信号）Ｓteを、光ピックアップ５０内のトラッキング・アクチュエータ２Ｔに供給する。
【００６３】
情報検出回路６５は、生成回路６０から再生信号ＲＦが供給され、再生信号ＲＦの復調等を行って光ディスク８０の記録情報を再生し、再生した記録情報を出力信号Ｓｏとして出力する。
記録再生装置９０は、焦点誤差の検出精度が高い光ピックアップ５０を有するので、再生情報の信頼性を高くすることが可能である。
【００６４】
第２の実施の形態
図１０は、本発明に係る光ピックアップの第２の実施の形態を示す概略的な構成図である。
この光ピックアップ１５０は、半導体レーザ４と、コリメータレンズ５と、ビームスプリッタ３と、対物レンズ２と、集光レンズ６と、円筒レンズ７と、光検出器１８と、レンズホルダ２Ｈと、フォーカシング・アクチュエータ２Ｆと、トラッキング・アクチュエータ２Ｔと、第１の偏光板１１と、第２の偏光板１２と、ウォラストンプリズム１５とを有する。
【００６５】
対物レンズ２は、レンズホルダ２Ｈに保持されている。
フォーカシング・アクチュエータ２Ｆは、駆動信号Ｓfeに基づき、レンズホルダ２Ｈを光ディスク８１の記録面とは垂直なフォーカス方向に移動させ、その結果、対物レンズ２をフォーカス方向に移動させる。
トラッキング・アクチュエータ２Ｔは、駆動信号Ｓteに基づき、レンズホルダ２Ｈを光ディスク８１の半径方向またはトラッキング方向に移動させ、その結果、対物レンズ２を光ディスク８１の半径方向またはトラッキング方向に移動させる。
【００６６】
半導体レーザ４は、駆動信号ＳＬに基づいて直線偏光のレーザ光を出力してコリメータレンズ５に供給する。
コリメータレンズ５は、半導体レーザ４からのレーザ光を平行光にしてビームスプリッタ３に供給する。
ビームスプリッタ３は、コリメータレンズ５からのレーザ光を通過させて対物レンズ２に供給する。
対物レンズ２は、ビームスプリッタ３からのレーザ光を集光し、ランドおよび／またはグルーブを有する光ディスク８１のトラックに供給する。この光ディスク８１は、例えば光磁気ディスクとする。
【００６７】
また、対物レンズ２は、光ディスク８１で反射したレーザ光をビームスプリッタ３に戻す。
ビームスプリッタ３は、対物レンズ２からのレーザ光が入射され、入射されたレーザ光を反射して出射し、ウォラストンプリズム１５に供給する。
ウォラストンプリズム１５は、ビームスプリッタ３からのレーザ光を主レーザ光と第１および第２の副レーザ光に分離し、第１および第２の偏光板１１，１２を介して集光レンズ６に供給する。
集光レンズ６は、偏光板１１，１２を通過したレーザ光を集光して円筒レンズ（シリンドリカルレンズ）７に供給する。
円筒レンズ７は、集光レンズ６からのレーザ光を通過させて光検出器１８に供給する。
光検出器１８は、円筒レンズ７からのレーザ光を受光部で受光して出力信号ＳＡ〜ＳＦを生成する。
【００６８】
図１１は、光検出器１８の受光部の構成を示す説明図である。光検出器１８の受光部は、主受光部１８Ｓと、第１の副受光部１８Ｅと、第２の副受光部１８Ｆとを有する。
主受光部１８Ｓは、ウォラストンプリズム１５で分離された主レーザ光が、偏光板１１，１２と集光レンズ６と円筒レンズ７とを介して供給される。主受光部１８Ｓは、２つの分割線１８Ｓｘ，１８Ｓｙにより４等分割されており、４個の分割領域１８Ａ〜１８Ｄを有する。図１１の主受光部１８Ｓには、円筒レンズ７からの主レーザ光によりビームスポットＭＳが形成されている。
【００６９】
円筒レンズ７の母線の方向は、主受光部１８Ｓの分割線１８Ｓｘまたは分割線１８Ｓｙの方向に対して約４５度もしくは約１３５度の角度をなす。
分割線１８Ｓｘ，１８Ｓｙの交点は、円筒レンズ７を通過した主レーザ光の中心または実質的に中心に位置する。
主受光部１８Ｓに形成されるビームスポットＭＳの形状は、光ディスク８１と対物レンズ２との距離に応じて対角方向に変化するので、分割領域１８Ａ〜１８Ｄが生成した出力信号ＳＡ〜ＳＤに基づき、非点収差法により光ディスク８１での焦点ズレを検出可能である。
【００７０】
第１の副受光部１８Ｅは、ウォラストンプリズム１５で分離された第１の副レーザ光が、偏光板１１，１２と集光レンズ６と円筒レンズ７とを介して供給され、出力信号ＳＥを生成する。図１１の第１の副受光部１８Ｅには、円筒レンズ７からの第１の副レーザ光によりビームスポットＳＳＥが形成されている。
【００７１】
第２の副受光部１８Ｆは、ウォラストンプリズム１５で分離された第２の副レーザ光が、偏光板１１，１２と集光レンズ６と円筒レンズ７とを介して供給され、出力信号ＳＦを生成する。図１１の第２の副受光部１８Ｆには、円筒レンズ７からの第２の副レーザ光によりビームスポットＳＳＦが形成されている。
【００７２】
図１２は、図１０の光ピックアップ１５０内の第１の偏光板１１の一例を示す構成図である。
光ディスク８１で反射したレーザ光は、トラックで反射した０次回折光と、ランドおよび／またはグルーブによる光の回折で生じた±１次回折光とを含む。
第１の偏光板１１は、０次回折光と±１次回折光とを含むレーザ光が、前記ウォラストンプリズム１５から供給され、ウォラストンプリズム１５からのレーザ光のうち主レーザ光の偏光方向を変化させる。なお、ウォラストンプリズム１５からの主レーザ光は、ウォラストンプリズム１５の光学軸によって決まる長軸方位を持つ楕円偏光となる。
【００７３】
この第１の偏光板１１は、透明基板１１Ｚと偏光子１１Ａ，１１Ｂとを有する。
透明基板１１Ｚは、主レーザ光に含まれる０次回折光と±１次回折光とが重なる重複領域１１Ｒ１と、重ならない非重複領域１１Ｒ０とを、輪郭１１Ｒ内に有する。非重複領域１１Ｒ０には０次回折光が供給され、重複領域１１Ｒ１には０次回折光と±１次回折光とが供給される。
【００７４】
偏光子１１Ａは、透明基板１１Ｚの非重複領域１１Ｒ０に位置しており、一例として、光学軸が長軸方位と垂直なλ／４相当の位相差を有する波長板とする。
偏光子１１Ｂは、透明基板１１Ｚの重複領域１１Ｒ１に位置しており、一例として、光学軸が長軸方位と平行なλ／４相当の位相差を有する波長板とする。
偏光子１１Ａ，１１Ｂが有するλ／４相当の位相差としては、例えばｍを自然数として、｛（ｍ−１）×λ／２＋λ／４｝と同一または実質的に同一の位相差とする。
なお、非重複領域１１Ｒ０と重複領域１１Ｒ１に対応する位相差特性は可逆であり、互いの光学軸を入れ換えてもよく、具体的には楕円長軸方位に平行な光学軸を領域１１Ｒ０の偏光子１１Ａが有すると共に、楕円長軸方位に垂直な光学軸を領域１１Ｒ１の偏光子１１Ｂが有する構成としてもよい。
【００７５】
図１３は、図１０の光ピックアップ１５０内の第２の偏光板１２の一例を示す構成図である。
第２の偏光板１２は、０次回折光と±１次回折光とを含む主レーザ光であって、第１の偏光板１１を通過した主レーザ光が供給される。
【００７６】
この第２の偏光板１２は、透明基板１２Ｚと偏光子１２Ａとを有する。
透明基板１２Ｚは、０次回折光と±１次回折光とが重なる重複領域１２Ｒ１と、重ならない非重複領域１２Ｒ０とを、輪郭１２Ｒ内に有する。非重複領域１２Ｒ０には０次回折光が供給され、重複領域１２Ｒ１には０次回折光と±１次回折光とが供給される。偏光子１２Ａは、透明基板１２Ｚの非重複領域１２Ｒ０に位置している。
偏光子１２Ａは、一例として、光学軸が長軸方位と約４５度または約１３５度をなしており、λ／２相当の位相差を有する波長板とする。λ／２相当の位相差としては、例えばｎを自然数として、｛（ｎ−１）λ＋λ／２｝と同一または実質的に同一の位相差とする。
【００７７】
偏光子１２Ａを非重複領域１２Ｒ０に配置することで、非重複領域１２Ｒ０を通過したレーザ光の直線偏光の偏光方向と、重複領域１２Ｒ１を通過したレーザ光の直線偏光の偏光方向とを直交させることができる。
偏光板１１，１２を通過したレーザ光が集光レンズ６および円筒レンズ７を経て光検出器１８に供給された場合に、光検出器１８の主受光部１８Ｓでは、非重複領域１２Ｒ０を通過したレーザ光と重複領域１２Ｒ１を通過したレーザ光との干渉が抑えられ、主受光部１８Ｓの分割線に対して合焦時の光強度が非対称になることを防ぐことができる。
【００７８】
第１および第２の偏光板１１，１２を、ウォラストンプリズム１５と集光レンズ６との間、またはウォラストンプリズム１５と円筒レンズ７との間に配置することで、主受光部１８Ｓの分割線１８Ｓｘ，１８Ｓｙに対して合焦時の光強度が非対称になることを防ぐことができ、焦点誤差信号ＦＥを合焦時に０にすることが可能であり、焦点誤差の検出精度を向上可能である。
【００７９】
なお、図１０の光ピックアップ１５０において、ウォラストンプリズム１５が主レーザ光を射出する射出面に第１および第２の偏光板１１，１２を固着して取り付けてもよく、前記射出面に第１および第２の偏光板１１，１２を形成してもよく、ウォラストンプリズム１５と透明基板１１Ｚ，１２Ｚを一体化してもよい。第１および第２の偏光板１１，１２を貼り合わせて一体にしてもよい。また、第１および第２の偏光板１１，１２の位置を入れ換えてもよい。
また、図１３の偏光板１２では、非重複領域１２Ｒ０に偏光子１２Ａを配置する場合を例示したが、これに代えて偏光子１２Ａと同様の特性の偏光子を透明基板１２Ｚの重複領域１２Ｒ１に配置してもよい。
【００８０】
図１４は、図１０に示す光ピックアップ１５０を有する記録再生装置の実施の形態を示す概略的なブロック構成図である。
この記録再生装置１９０は、変調回路１０と、磁気ヘッド２０と、磁気ヘッド駆動回路２５と、モータ３０と、モータ駆動回路３５と、位相補償回路４０と、増幅回路４２と、光ピックアップ１５０と、増幅回路（ヘッドアンプ）１５２と、レーザ駆動回路１５５と、生成回路１６０と、情報検出回路（検出回路）１６５と、制御回路１７０と、記録／再生切替回路１７５とを有する。
この記録再生装置１９０は、回転する光ディスク８１に対して情報を記録し、または、回転する光ディスク８１から記録情報を再生する。
【００８１】
制御回路１７０は、記録再生装置１９０の全体の制御を司るコントローラであり、例えばマイクロコンピュータ（マイコン）により構成する。
この制御回路１９０は、モータ駆動回路３５、レーザ駆動回路１５５、光ピックアップ１５０、位相補償回路４０、生成回路１６０、情報検出回路１６５、磁気ヘッド駆動回路２５、変調回路１０等を制御する。
【００８２】
光ピックアップ１５０は、記録時において光ディスク８１の記録箇所にレーザビームＬＢを照射し、再生時において光ディスク８１の再生箇所にレーザビームＬＢを照射する。但し、レーザビームＬＢのパワーは、再生時よりも記録時のほうが大きい。
【００８３】
変調回路１０は、記録時において記録する情報を示す入力信号Ｓinが入力され、この入力信号ＳinをＥＦＭ（Eight to Fourteen Modulation）変調方式等により変調して出力信号Ｓ１０を生成し、この出力信号Ｓ１０を磁気ヘッド駆動回路２５に供給する。
【００８４】
磁気ヘッド駆動回路２５は、変調回路１０の出力信号Ｓ１０に基づいて磁気ヘッド２０に駆動用の励磁電流Ｓ２５を供給する。
【００８５】
磁気ヘッド２０は、磁気ヘッド駆動回路２５からの励磁電流Ｓ２５によりコアが励磁され、入力信号Ｓｉに応じた磁力線ＭＢをコアから発生し、入力信号Ｓｉに応じた磁界を光ディスク８１のビーム照射箇所に印加する。
【００８６】
モータ３０は、例えば、スピンドルモータにより構成され、光ディスク８１を所定の回転速度で回転させる。このモータ３０は、一例として線速度が一定になるように光ディスク８１を回転させる。
【００８７】
モータ駆動回路３５は、モータ３０に駆動電力を供給してモータ３０を駆動する。このモータ駆動回路３５は、ＰＷＭ（Pulse Width Modulation）制御によりモータ３０の回転制御を行ってもよく、ＰＬＬ（Phase Locked Loop ）制御により回転制御を行ってもよい。
【００８８】
レーザ駆動回路１５５は、制御回路１７０の制御下で駆動信号ＳＬを生成してこの駆動信号ＳＬにより光ピックアップ１５０内の半導体レーザ４を駆動し、半導体レーザ４からレーザビームＬＢを出力させる。レーザ駆動回路１５５は、記録時のレーザビームＬＢの出力パワーを、再生時よりも大きくする。
【００８９】
光ピックアップ１５０は、レーザビームＬＢを光ディスク８１のトラックに供給し、光ディスク８１の記録箇所または再生箇所が照射される。
記録時では、光ディスク８１の照射箇所が記録膜のキュリー点を超えるような高温になり、磁気ヘッド２０からの印加磁界により照射箇所が磁化され、入力信号Ｓinが記録される。
【００９０】
増幅回路（ヘッドアンプ）１５２は、光ピックアップ１５０内の光検出器１８の出力信号ＳＡ〜ＳＦを増幅して生成回路１６０に供給する。
【００９１】
生成回路１６０は、増幅回路１５２からの増幅された前記出力信号ＳＡ〜ＳＦに基づき、再生信号ＭＯと、フォーカス誤差信号ＦＥと、トラッキング誤差信号ＴＥとを生成する。
この生成回路１６０は、例えば、増幅回路１５２からの前記出力信号ＳＥ，ＳＦの差（ＳＥ−ＳＦ）に基づいて光磁気信号である再生信号ＭＯを生成する。また、増幅回路１５２からの前記出力信号ＳＡ〜ＳＤのうち、隣り合う２つの分割領域の出力信号の和の差分に基づいてトラッキング誤差信号ＴＥを生成する。
【００９２】
位相補償回路４０は、フォーカス誤差信号ＦＥおよびトラッキング誤差信号ＴＥを補償（位相補償および／または周波数補償）した補償信号を生成し、この補償信号を増幅回路４２に供給する。
【００９３】
増幅回路４２は、フォーカス誤差信号ＦＥの補償信号を増幅した駆動信号Ｓfeを、光ピックアップ１５０内のフォーカシング・アクチュエータ２Ｆに供給する。また、増幅回路４２は、トラッキング誤差信号ＴＥの補償信号を増幅した駆動信号Ｓteを、光ピックアップ１５０内のトラッキング・アクチュエータ２Ｔに供給する。
【００９４】
情報検出回路１６５は、生成回路１６０から再生信号ＭＯが供給され、再生信号ＭＯの復調等を行って光ディスク８１の記録情報を再生し、再生した記録情報を出力信号Ｓｏとして出力する。
【００９５】
記録／再生切替回路１７５は、記録再生装置１９０の記録と再生とを切り替える切替信号を生成し、この切替信号を制御回路１７０、情報検出回路１６５、変調回路１０、磁気ヘッド駆動回路２５等に供給する。
【００９６】
変調回路１０は、再生時を示す切替信号が供給されると、出力信号Ｓ１０を磁気ヘッド駆動回路２５に供給することを停止する。また、磁気ヘッド駆動回路２５は、再生時を示す切替信号が供給されると、励磁電流Ｓ２５を磁気ヘッド２０に供給することを停止する。
一方、情報検出回路１６５は、記録時を示す切替信号が供給されると、出力信号Ｓｏの生成を停止する。また、制御回路１７０は、切替信号に応じて光ピックアップ１５０のレーザ出力パワーを制御する。
記録再生装置１９０は、焦点誤差の検出精度が高い光ピックアップ１５０を有するので、再生情報の信頼性を高くすることが可能である。
【００９７】
第３の実施の形態
図１５は、本発明に係る光ピックアップの第３の実施の形態を示す概略的な構成図である。
この光ピックアップ１５０’は、図１０の光ピックアップ１５０において、第１および第２の偏光子１１，１２に代えて基板１４を配置した構成である。図１０と図１５では、同一構成部分には同一符号を付しており、同一構成部分の説明を適宜省略する。なお、前記記録再生装置１９０において、図１０の光ピックアップ１５０に代えて、図１５に示す光ピックアップ１５０’を用いてもよい。
【００９８】
図１５の光ピックアップ１５０’において、ウォラストンプリズム１５は、ビームスプリッタ３からのレーザ光を主レーザ光と第１および第２の副レーザ光に分離し、基板１４を介して集光レンズ６に供給する。
集光レンズ６は、基板１４を通過したレーザ光を集光して円筒レンズ７に供給する。
光検出器１８は、円筒レンズ７からのレーザ光を受光部１８Ｓで受光して出力信号ＳＡ〜ＳＦを生成する。
【００９９】
図１６は、図１５の光ピックアップ１５０’内の基板１４の一例を示す構成図である。
光ディスク８１で反射したレーザ光は、トラックで反射した０次回折光と、ランドおよび／またはグルーブによる光の回折で生じた±１次回折光とを含む。
基板１４は、０次回折光と±１次回折光とを含むレーザ光が、前記ウォラストンプリズム１５から供給され、ウォラストンプリズム１５からのレーザ光のうち主レーザ光の所定部分を遮光する。
【０１００】
この基板１４は、透明基板１４Ｚを有し、透明基板１４Ｚには遮光領域１４Ａが設けてある。
透明基板１４Ｚは、主レーザ光に含まれる０次回折光と±１次回折光とが重なる重複領域１４Ｒ１と、重ならない非重複領域１４Ｒ０とを、輪郭１４Ｒ内に有する。非重複領域１４Ｒ０には０次回折光が供給され、重複領域１４Ｒ１には０次回折光と±１次回折光とが供給される。
【０１０１】
遮光領域１４Ａは、透明基板１４Ｚの非重複領域１４Ｒ０と一致して設けてある。
非重複領域１４Ｒ０を遮光領域１４Ａとすることで、非重複領域１４Ｒ０に供給された０次回折光を遮光して、重複領域１４Ｒ１を通過したレーザ光を光検出器１８に供給することができる。
基板１４を通過したレーザ光が集光レンズ６および円筒レンズ７を経て光検出器１８に供給された場合に、光検出器１８の受光部１８Ｓでは、重複領域１４Ｒ１を通過したレーザ光の干渉が無くなり、受光部１８Ｓの分割線１８Ｓｘ，１８Ｓｙに対して合焦時の光強度が非対称になることを防ぐことができ、焦点誤差の検出精度を向上可能である。
なお、図１５の光ピックアップ１５０’において、ウォラストンプリズム１５が主レーザ光を射出する射出面に基板１４を固着して取り付けてもよく、前記射出面に基板１４または遮光領域１４Ａを形成してもよく、ウォラストンプリズム１５と透明基板１４Ｚとを一体化してもよい。
【０１０２】
図１５の光ピックアップ１５０’内の基板１４としては、図１７に示す基板１４’を用いてもよい。なお、図１６と図１７では、同一構成部分には同一符号を付しており、同一構成部分の説明を適宜省略する。
基板１４’は、０次回折光と±１次回折光とを含むレーザ光が、前記ウォラストンプリズム１５から供給され、ウォラストンプリズム１５からのレーザ光のうち主レーザ光の所定部分を遮光する。
【０１０３】
この基板１４’は、透明基板１４Ｚを有し、透明基板１４Ｚには遮光領域１４Ｂが設けてある。遮光領域１４Ｂは、透明基板１４Ｚの重複領域１４Ｒ１と一致して設けてある。
重複領域１４Ｒ１を遮光領域１４Ｂとすることで、重複領域１４Ｒ１に供給された０次回折光および±１次回折光を遮光して、非重複領域１４Ｒ０を通過したレーザ光を光検出器１８に供給することができる。
基板１４’を通過したレーザ光が集光レンズ６および円筒レンズ７を経て光検出器１８に供給された場合に、光検出器１８の受光部１８Ｓでは、非重複領域１４Ｒ０を通過したレーザ光の干渉が無くなり、受光部１８Ｓの分割線１８Ｓｘ，１８Ｓｙに対して合焦時の光強度が非対称になることを防ぐことができ、焦点誤差の検出精度を向上可能である。
なお、図１５の光ピックアップ１５０’において、ウォラストンプリズム１５が主レーザ光を射出する射出面に基板１４’を固着して取り付けてもよく、前記射出面に基板１４’または遮光領域１４Ｂを形成してもよい。
【０１０４】
第４の実施の形態
図１８は、本発明に係る光ピックアップの第４の実施の形態を示す概略的な構成図である。
この光ピックアップ５０’は、図６の光ピックアップ５０において、偏光子９に代えて基板１３を配置した構成である。図６と図１８では、同一構成部分には同一符号を付しており、同一構成部分の説明を適宜省略する。なお、前記記録再生装置９０において、図６の光ピックアップ５０に代えて、図１８に示す光ピックアップ５０’を用いてもよい。
【０１０５】
図１８の光ピックアップ５０’において、ビームスプリッタ３は、対物レンズ２からのレーザ光が入射され、入射されたレーザ光を反射して出射し、基板１３を介して集光レンズ６に供給する。
集光レンズ６は、基板１３を通過したレーザ光を集光して円筒レンズ７に供給する。
円筒レンズ７は、集光レンズ６からのレーザ光を通過させて光検出器８に供給する。
光検出器８は、円筒レンズ７からのレーザ光を受光部で受光して出力信号ＳＡ〜ＳＤを生成する。
【０１０６】
図１９は、図１８の光ピックアップ５０’内の基板１３の一例を示す構成図である。
光ディスク８０で反射したレーザ光は、トラックで反射した０次回折光と、ランドおよび／またはグルーブによる光の回折で生じた±１次回折光とを含む。
基板１３は、０次回折光と±１次回折光とを含むレーザ光が、前記ビームスプリッタ３から供給される。
【０１０７】
この基板１３は、透明基板１３Ｚを有し、透明基板１３Ｚには遮光領域１３Ａが設けてある。
透明基板１３Ｚは、レーザ光に含まれる０次回折光と±１次回折光とが重なる重複領域１３Ｒ１と、重ならない非重複領域１３Ｒ０とを、輪郭１３Ｒ内に有する。非重複領域１３Ｒ０には０次回折光が供給され、重複領域１３Ｒ１には０次回折光と±１次回折光とが供給される。
【０１０８】
遮光領域１３Ａは、透明基板１３Ｚの非重複領域１３Ｒ０と一致して設けてある。
非重複領域１３Ｒ０を遮光領域１３Ａとすることで、非重複領域１３Ｒ０に供給された０次回折光を遮光して、重複領域１３Ｒ１を通過したレーザ光を光検出器８に供給することができる。
基板１３を通過したレーザ光が集光レンズ６および円筒レンズ７を経て光検出器８に供給された場合に、光検出器８の受光部では、重複領域１３Ｒ１を通過したレーザ光の干渉が無くなり、受光部の分割線に対して合焦時の光強度が非対称になることを防ぐことができ、焦点誤差の検出精度を向上可能である。
なお、図１８の光ピックアップ５０’において、ビームスプリッタ３がレーザ光を射出する射出面に基板１３を固着して取り付けてもよく、前記射出面に基板１３または遮光領域１３Ａを形成してもよく、ビームスプリッタ３と透明基板１３Ｚとを一体化してもよい。
【０１０９】
図１８の光ピックアップ５０’内の基板１３としては、図２０に示す基板１３’を用いてもよい。なお、図１９と図２０では、同一構成部分には同一符号を付しており、同一構成部分の説明を適宜省略する。
基板１３’は、０次回折光と±１次回折光とを含むレーザ光が、前記ビームスプリッタ３から供給される。
【０１１０】
この基板１３’は、透明基板１３Ｚを有し、透明基板１３Ｚには遮光領域１３Ｂが設けてある。遮光領域１３Ｂは、透明基板１３Ｚの重複領域１３Ｒ１と一致して設けてある。
重複領域１３Ｒ１を遮光領域１３Ｂとすることで、重複領域１３Ｒ１に供給された０次回折光および±１次回折光を遮光して、非重複領域１３Ｒ０を通過したレーザ光を光検出器８に供給することができる。
基板１３’を通過したレーザ光が集光レンズ６および円筒レンズ７を経て光検出器８に供給された場合に、光検出器８の受光部では、非重複領域１３Ｒ０を通過したレーザ光の干渉が無くなり、受光部の分割線に対して合焦時の光強度が非対称になることを防ぐことができ、焦点誤差の検出精度を向上可能である。
なお、図１８の光ピックアップ５０’において、ビームスプリッタ３がレーザ光を射出する射出面に基板１３’を固着して取り付けてもよく、前記射出面に基板１３’または遮光領域１３Ｂを形成してもよい。
【０１１１】
なお、上記実施の形態は本発明の例示であり、本発明は上記実施の形態に限定されない。
偏光板は、ガラス板からなる透明基板に、複屈折性の有機材料のシートを偏光子として貼りつけた構成としてもよく、複屈折性の人工水晶板等を偏光子として貼りつけた構成としてもよい。
【０１１２】
【発明の効果】
本発明に係る第１および第２の光ピックアップならびに第１および第２の記録再生装置では、０次回折光と１次回折光とが重なる重複領域のレーザ光の直線偏光方向と重ならない非重複領域のレーザ光の直線偏光方向とを偏光板により互いに直交させることで、光検出器での光の干渉を抑えることができ、レーザ光を集光してランドに供給する場合とグルーブに供給する場合とで焦点誤差信号を一致させることができ、焦点誤差信号の値を合焦時に０にすることが可能であり、焦点誤差の検出精度を向上させることが可能である。また、第１および第２の記録再生装置は、焦点誤差の検出精度の向上により、再生情報の信頼性を向上可能である。
【図面の簡単な説明】
【図１】従来の光ピックアップの概略的な構成図である。
【図２】図１の光ピックアップが有する光検出器の受光部の構成を示す説明図である。
【図３】従来の光ピックアップの光検出器の出力信号から得られる焦点誤差信号であって、ランドおよびグルーブに対する各焦点誤差信号の特性を例示する特性図である。
【図４】図１の光ピックアップにおいて、ビームスプリッタから集光レンズに供給されるレーザ光の様子を示す説明図である。
【図５】本発明に係る光ピックアップの光検出器の出力信号から得られる焦点誤差信号の特性を例示する特性図である。
【図６】本発明に係る光ピックアップの第１の実施の形態を示す概略的な構成図である。
【図７】図６の光ピックアップ５０内の偏光板の一例を示す構成図である。
【図８】図６の光ピックアップ５０内の偏光板の他の一例を示す構成図である。
【図９】図６の光ピックアップ５０を有する記録再生装置の実施の形態を示す概略的なブロック構成図である。
【図１０】本発明に係る光ピックアップの第２の実施の形態を示す概略的な構成図である。
【図１１】図１０の光ピックアップが有する光検出器の受光部の構成を示す説明図である。
【図１２】図１０の光ピックアップ１５０内の第１の偏光板１１の一例を示す構成図である。
【図１３】図１０の光ピックアップ１５０内の第２の偏光板１２の一例を示す構成図である。
【図１４】図１０の光ピックアップ１５０を有する記録再生装置の実施の形態を示す概略的なブロック構成図である。
【図１５】本発明に係る光ピックアップの第３の実施の形態を示す概略的な構成図である。
【図１６】図１５の光ピックアップ１５０’内の基板の一例を示す構成図である。
【図１７】図１５の光ピックアップ１５０’内の基板の他の一例を示す構成図である。
【図１８】本発明に係る光ピックアップの第４の実施の形態を示す概略的な構成図である。
【図１９】図１８の光ピックアップ５０’内の基板の一例を示す構成図である。
【図２０】図１８の光ピックアップ５０’内の基板の他の一例を示す構成図である。
【符号の説明】
１，５０，５０’，１５０，１５０’…光ピックアップ、２…対物レンズ、２Ｆ…フォーカシング・アクチュエータ（アクチュエータ）、２Ｈ…レンズホルダ、２Ｔ…トラッキング・アクチュエータ、３…ビームスプリッタ、４…半導体レーザ（レーザ）、５…コリメータレンズ、６…集光レンズ、７…円筒レンズ、８、１８…光検出器、８Ａ〜８Ｄ，１８Ａ〜１８Ｄ…分割領域、８Ｓ…受光部、８Ｓｘ，８Ｓｙ，１８Ｓｘ，１８Ｓｙ…分割線、９，９’，１１，１２…偏光板、９Ａ，９Ｂ，１１Ａ，１１Ｂ，１２Ａ…偏光子、９Ｒ，１１Ｒ，１２Ｒ，１３Ｒ，１４Ｒ…輪郭、９Ｒ０，１１Ｒ０，１２Ｒ０，１３Ｒ０，１４Ｒ０…非重複領域、９Ｒ１，１１Ｒ１，１２Ｒ１，１３Ｒ１，１４Ｒ１…重複領域、９Ｚ，１１Ｚ，１２Ｚ，１３Ｚ，１４Ｚ…透明基板、１０…変調回路、１３，１３’，１４，１４’…基板、１３Ａ，１３Ｂ，１４Ａ，１４Ｂ…遮光領域、１５…ウォラストンプリズム、１８Ｓ…主受光部、１８Ｅ…第１の副受光部、１８Ｆ…第２の副受光部、２０…磁気ヘッド、２５…磁気ヘッド駆動回路、３０…モータ、３５…モータ駆動回路、４０…位相補償回路、４２…増幅回路、５２，１５２…増幅回路（ヘッドアンプ）、５５，１５５…レーザ駆動回路、６０，１６０…生成回路、６５，１６５…情報検出回路、７０，１７０…制御回路、８０…光ディスク、８１…光ディスク（光磁気ディスク）、９０，１９０…記録再生装置、１７５…記録／再生切替回路、ｄ０…距離、ＦＥ…焦点誤差信号（フォーカス誤差信号）、ＬＢ…レーザビーム、ＭＢ…磁力線、ＭＳ，ＳＳＥ，ＳＳＦ…ビームスポット、ＲＦ，ＭＯ…再生信号、Ｓfe，Ｓte…駆動信号、ＴＥ…トラッキング誤差信号。
【図１】
0004035933.tif 000002
【図２】
0004035933.tif 000003
【図３】
0004035933.tif 000004
【図４】
0004035933.tif 000005
【図５】
0004035933.tif 000006
【図６】
0004035933.tif 000007
【図７】
0004035933.tif 000008
【図８】
0004035933.tif 000009
【図９】
0004035933.tif 000010
【図１０】
0004035933.tif 000011
【図１１】
0004035933.tif 000012
【図１２】
0004035933.tif 000013
【図１３】
0004035933.tif 000014
【図１４】
0004035933.tif 000015
【図１５】
0004035933.tif 000016
【図１６】
0004035933.tif 000017
【図１７】
0004035933.tif 000018
【図１８】
0004035933.tif 000019
【図１９】
0004035933.tif 000020
【図２０】
0004035933.tif 000021